(57)【要約】      （修正有）【課題】遠赤外線放射機能を持続可能なデスクマットを提供する。【解決手段】重なり合う表シート１１および裏シート１２の側縁同士を結合部１３でヒンジ結合したデスクマット１０について、その表シート１１の合成樹脂材料全体に遠赤外線放射物質を練りこんで成型する。【選択図】図１
0003170842.tif 000002
【実用新案登録請求の範囲】
【請求項１】
合成樹脂材料の全体に遠赤外線放射物質を練りこんで成型された矩形のシートのみからなるデスクマット。
【請求項２】
重なり合うそれぞれ矩形の表シートおよび裏シートと、
前記表シートおよび裏シートの側辺同士をヒンジ結合する結合部と、を有し、
すくなくとも表シートは、合成樹脂材料の全体に遠赤外線放射物質を練りこんで成型されているデスクマット。
【請求項３】
前記遠赤外線放射物質は、アルファフレッシュ（登録商標）である請求項１または２に記載のデスクマット。
【考案の詳細な説明】
【技術分野】
【０００１】
本考案は、遠赤外線を放射するデスクマットに関する。
【背景技術】
【０００２】
デスクワークを長時間おこなうと、血行が悪くなったり、体が凝ったりすることが経験的に知られている。
その一方で、遠赤外線が、人体の血行を促進させリラクゼーション効果を発揮させる事実も知られている。
【考案の概要】
【考案が解決しようとする課題】
【０００３】
そのため、デスクの天板に載せるデスクマットの表面に、遠赤外線放射物質を含む塗料を塗布し、デスクワークをおこなう人の血行の促進等を図ることが考えられうる。
【０００４】
しかし、たとえば遠赤外線放射物質をデスクマットの表面に塗布しただけであると、その塗布層が剥離等すれば、遠赤外線放射機能が失われてしまう。
【０００５】
そこで本考案の解決すべき課題は、遠赤外線放射機能を長期にわたって持続可能なデスクマットを提供することである。
【課題を解決するための手段】
【０００６】
上記課題を解決するため、本考案では、矩形のシートのみからなるデスクマットについて、そのシートの合成樹脂材料の全体に、遠赤外線放射物質を練りこむことにしたのである。
【０００７】
また、重なり合うそれぞれ矩形の表シートおよび裏シートと、表シートおよび裏シートの側辺同士をヒンジ結合する結合部とからなるデスクマットについて、すくなくとも表シートの合成樹脂材料の全体に、遠赤外線放射物質を練りこむことにしたのである。
【０００８】
このような遠赤外線放射物質としては、アルファフレッシュ（登録商標）が好ましい。  なお、シートが矩形であるとは、厳密に矩形である場合のみならず、角隅部がアールに形成されているような略矩形の場合も含むものとする。
【考案の効果】
【０００９】
デスクマットのシートの合成樹脂材料に遠赤外線放射物質を練り込んだため、表面に塗布した場合のように剥離することがなく、遠赤外線放射機能を長期にわたって持続させることができる。
これにより、血行の促進効果やリラクゼーション効果を長期にわたって持続させることができる。
【００１０】
また、シート全体に遠赤外線放射物質が練り込まれているため、シートの表面層や中心層のみに練り込まれているような部分的に練り込まれている場合に比べて、遠赤外線の放射量が大きい。
これにより、上述した血行の促進効果やリラクゼーション効果を一層顕著に発揮することができる。
【００１１】
遠赤外線放射物質として、無色透明の天然有機化合物であるアルファフレッシュを用いた場合には、シートの透明性が失われないため、シートの下にメモ用紙等を挟んだ場合にも良好な視認性が得られる。
【図面の簡単な説明】
【００１２】
【図１】第１実施形態のデスクマット
【図２】第２実施形態のデスクマット
【考案を実施するための形態】
【００１３】
図１に、第１実施形態のデスクマット１０を示す。このデスクマット１０は、表シート１１、裏シート１２、結合部１３よりなる。
【００１４】
表シート１１および裏シート１２は、フレキシブルで透明な合成樹脂シートである。
その材質は特に限定されないが、ポリ塩化ビニル樹脂（ＰＶＣ）やポリオレフィン系樹脂が例示できる。透明度等の観点からは、ＰＶＣが特に好ましい。
【００１５】
表シート１１および裏シート１２には、適宜エンボス加工やシボ加工などの表面加工を施したり、印刷を施したり、塗膜を形成したりしてもよい。
なお表シート１１および裏シート１２の縦横寸法や厚み寸法は特に限定されない。
【００１６】
これら表シート１１と裏シート１２は、同形であり使用時に表シート１１が表側に裏シート１２が裏側になるように重ねあわされている。
【００１７】
それぞれ略矩形の表シート１１と裏シート１２の両長辺（側辺）のうち片方の長辺同士は、結合部１３によりヒンジ結合されている。
結合部１３の具体的構成は特に限定されないが、鋲、ステイプル、粘着テープが例示できる。
また図１のように、結合部１３を、表シート１１と裏シート１２を結合する鋲等と、その外周に取り付けられた（はめ込まれた）断面コの字型のカバーとから構成すると、鋲等が視認できないため、美観が高められる。
【００１８】
このような構成により、表シート１１と裏シート１２は結合部１３を中心に開閉可能となっているため、その間にメモ用紙や写真、キャラクターの絵、などを適宜はさんでおくことができる。
【００１９】
さらに表シート１１は、無色透明の合成樹脂材料の全体に遠赤外線放射物質であり天然有機化合物であるアルファフレッシュ（登録商標）を粉体にして練りこんで成型することにより、形成されている。
これにより、完成した表シート１１からは遠赤外線が放射されることになる。
【００２０】
アルファフレッシュの合成樹脂材料に対する混合量は特に限定されないが、少なすぎると表シート１１の遠赤外線放射機能が不充分となり、多すぎると表シート１１が脆くなって強度等が不充分となりまたコスト高ともなる。
そのため、合成樹脂材料およびアルファフレッシュの重量をともに固形分で換算した場合に、アルファフレッシュは１０重量％程度混合するのが好ましい。
【００２１】
ここでアルファフレッシュは、ほぼ無色透明であるため、表シート１１は良好な透明性を維持することができる。したがって、表シート１１と裏シート１２の間にはさみこんだ、メモ用紙等を表シートを通じて良好に視認することができる。
なお、裏シート１２の合成樹脂材料全体にも、アルファフレッシュを練りこんでも構わない。また、裏シート１２は不透明としてもよいし、表シート１１や裏シート１２に適宜印刷を施してもよい。
【００２２】
第１実施形態のデスクマット１０の構成は以上のようであり、これをデスクの天板に載せて使用すると、上面となる表シート１１から放射された遠赤外線により、そのデスクワークをおこなう人の血行が促進され、リラクゼーション効果が得られることとなる。
【００２３】
そしてアルファフレッシュは、表シート１１の表面に塗布されているのではなく中に練りこまれているため、その遠赤外線放射機能は表シート１１の表面が多少傷付いたりしても損なわれるものではない。その結果、遠赤外線放射機能は長期にわたり持続することになる。
また合成樹脂材料の全体に練り込まれていることから、部分的に練り込まれている場合に比べて遠赤外線の放射量が多く、血行促進機能、リラクゼーション機能を一層発揮することができる。
【００２４】
図２に第２実施形態のデスクマット２０を示す。このデスクマット２０は、フレキシブルで透明な一枚の合成樹脂シートからなる。
略矩形のこのシートは、塩化ビニルなどの透明の合成樹脂材料全体に、遠赤外線放射物質でありかつ天然有機化合物であるアルファフレッシュを粉体にして練りこんで成型することにより、形成されている。
【００２５】
第１実施形態と同様に、デスクマット２０から放射された遠赤外線により、そのデスクワークをおこなう人の血行が促進され、リラクゼーション効果が得られることとなる。
そしてアルファフレッシュは、デスクマット２０の中に練りこまれているため、その遠赤外線放射機能は、長期にわたり持続することになる。
デスクマット２０は、ほぼ透明であるため、天板との間にメモ用紙等を挟みこんだ場合にも、良好に視認することができる。
【００２６】
以上の実施形態では、遠赤外線放射物質としてアルファフレッシュを用いたが、これに限定されない。
木炭、トルマリン、セラミックスなどの他の遠赤外線放射物質を粉体にして合成樹脂材料に練りこんでも構わない。
【００２７】
しかし、これらの物質は透明ではなく、練りこんだ場合にシートの透明性が損なわれるため、デスクマット１０の表シート１１と裏シート１２の間にはさみこんだり、デスクマット２０の下に入れたりしたメモ用紙等を、視認することが困難になる。
したがって、シートの透明性を維持するためには、ほぼ無色透明の遠赤外線放射物質が好ましく、アルファフレッシュが、入手容易性や遠赤外線放射性能などの観点から、もっとも好ましい。
【符号の説明】
【００２８】
１０  第１実施形態のデスクマット
１１  表シート
１２  裏シート
１３  結合部
２０  第２実施形態のデスクマット
【図１】
0003170842.tif 000003
【図２】
0003170842.tif 000004
【手続補正書】
【提出日】平成23年7月29日(2011.7.29)
【手続補正１】
【補正対象書類名】実用新案登録請求の範囲
【補正対象項目名】全文
【補正方法】変更
【補正の内容】
【実用新案登録請求の範囲】
【請求項１】
合成樹脂材料の全体に遠赤外線放射物質を練りこんで成型された矩形のシートのみからなるデスクマット。
【請求項２】
重なり合うそれぞれ矩形の表シートおよび裏シートと、
前記表シートおよび裏シートの側辺同士をヒンジ結合する結合部と、を有し、
すくなくとも表シートは、合成樹脂材料の全体に遠赤外線放射物質を練りこんで成型されているデスクマット。